【手続補正書】
【提出日】平成17年11月16日(2005.11.16)
【手続補正１】
【補正対象書類名】明細書
【補正対象項目名】特許請求の範囲
【補正方法】変更
【補正の内容】
【特許請求の範囲】
【請求項１】翼幅方向の軸を中心として配設され、根本領域を備えた第１の端部と、翼幅方向に延びる翼領域と、流路面と頂部面とシュラウド面位置と溶融したハード面形成材料を前記シュラウド面位置に隣接して収容するための基部とを有しかつ該翼に対して横方向に延びるシュラウドを備えた第２の端部とを有するロータブレードのシュラウド位置にハード面形成材料領域を形成するための固定具であって、該固定具は、
前記シュラウドの流路面にパッドを押圧させて連結し、前記翼の内側ではない位置において前記ロータブレードを支持し、位置決めするアッセンブリと、
前記シュラウドの前記流路面の形状に適合した形状を有し、前記シュラウドのハード面形成位置を超えて横方向に延ばされているとともに、前記シュラウドを超えて延ばされた面を備え、連結された位置において前記シュラウドの流路面へと溶融材料が流れて行かないようにさせるパッドとを有していることを特徴とする固定具。
【請求項２】前記パッドが、前記シュラウドおよび前記パッドとの間の密着する領域において前記シュラウドと係合し、少なくとも前記パッドの前記基部に隣接した部分は、操作温度において前記溶融材料及び前記シュラウドの熱伝導率よりも大きな熱伝導率を有する材料から形成されていて、前記シュラウドと前記パッドの間の密着する領域において前記溶融材料から熱を移動させて、当該領域における前記溶融材料の粘度を増加させることで前記シュラウドの前記流路面への溶融材料の漏れ出しを防止することを特徴とする請求項１に記載の固定具。
【請求項３】前記パッドの材料は、操作温度において前記溶融材料及び前記シュラウドの熱伝導率の少なくとも４倍大きな熱伝導率を有していることを特徴とする請求項２に記載のロータブレード。
【請求項４】前記パッドは、前記シュラウドの熱容量よりも小さな熱容量を有しており、前記パッドがヒートシンクとして作用せず、前記溶融材料が冷却されるにつれクラックを生じさせないように構成されていることを特徴とする請求項３に記載の固定具。
【請求項５】前記パッドは、金属から形成されていることを特徴とする請求項４に記載の固定具。
【請求項６】前記パッドはタングステンから構成されていることを特徴とする請求項５に記載の固定具。
【請求項７】前記パッドは、金属から構成されていることを特徴とする請求項２に記載の固定具。
【請求項８】前記パッドは、前記アッセンブリに回動自在に連結されていて前記パッドを前記シュラウドの流路面に連結させるように押圧していることを特徴とする請求項１に記載の固定具。
【請求項９】前記シュラウドの前記流路面に連結させるように前記パッドを押圧させるためのアッセンブリは、球状部分を備えた形状の第１の面と前記球状部分の中心を通して延ばされた軸Ａｒを中心とする円筒面とによって画定される開口を有しており、前記パッドは、回転軸Ａｓを有しているとともに、前記回転軸Ａｒに整列可能とされている円筒シャフトを有していて、前記円筒シャフトは、前記開口内に配設されているとともにアームの円筒面が径方向に離間されており、前記パッドはさらに、前記円筒シャフトが延びる球状面を備えていて、前記シュラウドの前記流路面に連結するようにパッドを押圧させており、前記パッドの球状面は、前記アッセンブリの前記球状面に回動自在に連結され前記パッドを前記軸Ａｓを中心として回動自在とさせ、前記軸Ａｓは、前記パッドの前記球状面を傾けて連結可能とさせていて、第２の付加体は、前記シュラウドの第２の面に連結されて前記固定具に対する前記シュラウドの配置の変動を適切化させているとともに前記シュラウドの前記流路面に前記第２の付加体の第２の面を連結させていることを特徴とする請求項８に記載の固定具。
【請求項１０】前記シュラウドの前記流路面に連結するように前記パッドを押圧するためのアッセンブリは、第１の位置において前記ロータブレードの面に連結する面を備えた第１のクランプ部と、前記第１の位置から離間した第２の位置において前記ロータブレードの面に連結する面を備えた第２のクランプ部とを有しており、前記第１の位置と前記第２の位置は、前記翼の内側ではなく、さらに前記アッセンブリは、前記ロータブレードに連結するように前記各クランプ部を押圧する要素を備えていることを特徴とする請求項１に記載の固定具。
【請求項１１】前記第１のクランプ部は、該第１のクランプ部に滑動自在かつ回転自在に取り付けられ、横方向に運動自在とされた付加体を有していることを特徴とする請求項１０に記載の固定具。
【請求項１２】前記付加体は、球状部分を備えた形状の第１の面と前記付加体を前記パッドの面に連結させるための前記球状部分の中心を通して延ばされた軸Ａｒを中心として配設された円筒面とによって画定される開口を有しており、前記パッドは、回転軸Ａｓを有し、前記回転軸Ａｒに整列可能とされた円筒シャフトを有していて、前記円筒シャフトは、前記第１のクランプ部の前記開口に配設されているとともに、前記第１のクランプ部の前記円筒面から径方向に離間されていて、
前記パッドは、前記付加体の球状面に回転可能に連結され、前記シャフトが延びる球状の第１の面を備えていることを特徴とする請求項１１に記載の固定具。
【請求項１３】前記ロータブレードは、前記シュラウドの前記流路面上に第１の側部と第２の側部とを有しており、前記第１のクランプ部は、該第１のクランプ部を前記流路面の前記第１の側部に連結させるための第１の側部と前記付加体が取り付けられる前記第１の側部から離間した第２の側部とを有しており、前記第２のクランプは、前記第１のクランプ部の前記第１の側部と前記第２の側部の間に横方向に配設されていて、該第２のクランプ部は、該第２のクランプ部を前記シュラウドの非流路面に連結する面を備えていることを特徴とする請求項１１に記載の固定具。
【請求項１４】前記ロータブレードは、前記シュラウドの前記流路面上に第１の側部と第２の側部とを有しており、前記シュラウドの前記流路面にパッドを連結させるため前記パッドを押圧するためのアッセンブリは、対となったクランプ部を有しており、第１のクランプ部は、前記シュラウドの前記流路面の第１の側に前記第１のクランプ部を連結させるための第１の側部と付加体が取り付けられ前記第１の側から離間した第２の側部とを有しており、前記第２のクランプは、前記第１のクランプ部の前記第１の側部と前記第２の側部の間に横方向に配設されていて、該第２のクランプ部は、該第２のクランプ部を前記シュラウドの非流路面に連結する面を備えていることを特徴とする請求項１に記載の固定具。
【請求項１５】翼幅方向の軸を中心として配設され、根本部及び第１の側部と前記翼幅方向の軸に対して横方向に延びた第２の側部とを備えるプラットホーム領域を備えた第１の端部と、翼幅方向に延びた翼領域と、第１の側部と第２の側部とを備え、前記翼に対して横方向に延び、かつ、頂部面とノッチ面位置と前記ノッチ面位置に隣接して溶融したハード面形成材料を収容するための基部とを備えたシュラウドとを有するロータブレードの前記ノッチ面位置にハード面形成材料領域を形成するために用いられる固定具であって、該固定具は、
前記シュラウドの前記流路面に連結するようにパッドを押圧し、軸Ａｊを中心として運動可能に配設され、第１のクランプ部と第２のクランプ部からなる対となったクランプ部を備えたアッセンブリを有しており、該アッセンブリは、
前記クランプ部を互いに押圧する弾性部材と、
ピンと、対となり互いに離間した面と、スロットを備えた前記離間面の間に配設された第１の付加体とを備えた第１の側部とを有しており、前記ピンは、前記付加体が長手方向及び横方向へと滑動自在かつ回転自在に前記クランプ部に配設されるようにしており、前記第１の付加体が、該付加体を前記シュラウドの前記流路面の前記第１の側部に連結させる面を備えている第１のクランプ部と、
ピンと、対となり互いに離間した面と、スロットを備えた前記離間面の間に配設された第１の付加体とを備えた第２の側部とを有しており、前記ピンは、前記付加体が長手方向及び横方向へと滑動自在かつ回転自在に前記クランプ部に配設されるようにしており、前記第２の付加体は、球状部分の形状を有する第１の面と前記第２の付加体をパッドの面に連結するようにさせている前記球状部分の中心から延びた、軸Ａｒを中心として配設された円筒面とによって画定された開口を有している第２のクランプ部とを備えており、
前記第２のクランプ部は、前記第１のクランプ部の前記第１の側部と前記第２の側部の間に横方向に配設されていて、該第２のクランプ部は、該第２のクランプ部を前記シュラウドの非流路面に連結する面を備え、
回転軸Ａｓを有し、前記回転軸Ａｒに整列可能で前記第１のクランプ部の開口内に配設されるとともに前記第１のクランプ部の前記円筒面から径方向に離間した円筒シャフトを備えたパッドを備えていて、該パッドは、
前記シャフトが延びる球状とされた前記第２の付加体の球状面と回転可能に連結する第１の面と、
２つのポイントを有し、これらのポイントと前記第１の側部の面のポイントは、操作条件下で前記シュラウドの前記流路面に対して横方向に実質的に平行に延びる面を規定するように構成され、前記シュラウドの流路面の形状に密接に適合し、かつ前記パッドを前記シュラウドの前記流路面に連結させるようにしているとともに、前記シュラウドのハード面位置を超えて横方向に延び、かつシュラウドを超えて延ばされて、前記パッドが連結された位置において前記シュラウドの流路面へと溶融材料が流れて行くのを防止する第２の面とを有しており、
前記アッセンブリの前記クランプ部は、前記ロータブレードの前記シュラウドに連結するようにされ、前記弾性要素は前記各クランプ部をそれぞれ前記シュラウドの流路面と非流路面とに対して押圧して前記パッドを操作条件下で前記シュラウドから支持及び位置決めしてロータブレード間に生じる異なった傾き又は前記翼の根本部の相違によるロータブレードの連結の相違を生じさせないようにしており、
前記付加体は、前記第１のクランプ部の前記ロータブレードのシュラウドに対して横方向の調節を可能とさせて、前記パッドと前記シュラウドの前記流路面との間の連結を容易にさせるとともに、前記翼と前記シュラウドの間及び前記パッドの横方向外側に延びた構造体無しに前記シュラウドへの連結がなされるようにしており、
前記パッドは、前記パッドの球状面と前記第２の付加体の連結を通して傾斜可能とされた前記軸Ａｓを中心として回動可能にされて、前記シュラウドの前記第２の面を前記シュラウドの前記固定具に対する配置変動に適合化させるとともに前記第２の面を前記シュラウドの前記流路面へと連結させることを可能としており、
前記第２の面に隣接する少なくとも前記パッドの部分は、操作温度において前記溶融材料及び前記シュラウドの熱伝導率よりも少なくとも４倍熱伝導率の大きな材料から構成されて、前記シュラウドと前記パッドの間の密着する部分に隣接する前記溶融材料から熱を移動させて前記密着部分における溶融材料を冷却して、当該部分における前記溶融材料の粘度を増加させることで前記シュラウドの前記流路面への溶融材料の漏れ出しを防止していて、
前記パッドは、前記シュラウドの熱容量よりも小さな熱容量を有し、前記パッドがヒートシンクとして作用させず前記材料が冷却されるにつれてクラックが生じないようにさせていることを特徴とする固定具。
【請求項１６】前記パッドが金属から構成されていることを特徴とする請求項１５に記載の固定具。
【請求項１７】前記パッドは、タングステンから構成されていることを特徴とする請求項１５に記載の固定具。
【請求項１８】前記パッドは、前記シュラウド材料及び前記ハード面形成材料の融点よりも高い融点を有する材料から構成されていることを特徴とする請求項１５に記載の固定具。
【請求項１９】前記パッドは、前記シュラウド材料及び前記ハード面形成材料の融点よりも高い融点を有する材料から構成されていることを特徴とする請求項１に記載の固定具。
【請求項２０】前記パッドは、前記シュラウド材料及び前記ハード面形成材料の融点よりも高い融点を有する材料から構成されていることを特徴とする請求項２に記載の固定具。
【請求項２１】前記パッドは、前記シュラウド材料及び前記ハード面形成材料の融点よりも高い融点を有する材料から構成されていることを特徴とする請求項８に記載の固定具。
【請求項２２】前記パッドは、前記シュラウド材料及び前記ハード面形成材料の融点よりも３倍高い融点を有する材料から構成されていることを特徴とする請求項１に記載の固定具。
【請求項２３】前記パッドは、前記シュラウド材料及び前記ハード面形成材料の融点よりも３倍高い融点を有する材料から構成されていることを特徴とする請求項２に記載の固定具。
【請求項２４】前記パッドは、前記シュラウド材料及び前記ハード面形成材料の融点よりも３倍高い融点を有する材料から構成されていることを特徴とする請求項８に記載の固定具。
【請求項２５】前記パッドは、前記シュラウド材料及び前記ハード面形成材料の融点よりも３倍高い融点を有する材料から構成されていることを特徴とする請求項７に記載の固定具。
【請求項２６】前記パッドは、前記シュラウド材料及び前記ハード面形成材料の融点よりも３倍高い融点を有する材料から構成されていることを特徴とする請求項４に記載の固定具。
【請求項２７】前記パッドは、前記シュラウド材料及び前記ハード面形成材料の融点よりも３倍高い融点を有する材料から構成されていることを特徴とする請求項１２に記載の固定具。
【請求項２８】前記シュラウドの前記流路面に前記パッドを押圧するためのアッセンブリは、前記ロータブレードに連結されるクランプ部を有しているとともに、前記パッドを超えて延ばされていないとともに、前記ロータブレードの前記プラットホームと前記シュラウドの前記流路面の間の領域において実質的な距離にわたって延ばされておらず、前記アッセンブリの径方向への延長部は、前記翼の長さＬａの１／４以下とされていることを特徴とする請求項１０〜１４に記載の固定具。
【請求項２９】翼幅方向の軸を中心として配設され、根本領域を備えた第１の端部と、翼幅方向に延びる翼領域と、流路面と頂部面とシュラウド面位置と溶融したハード面形成材料を前記シュラウド面位置に隣接して収容するための基部とを有しかつ該翼に対して横方向に延びるシュラウドを備えた第２の端部とを有するロータブレードのシュラウド位置に材料領域を形成するための固定具であって、該固定具は、
前記ロータブレードを連結するベースと、
前記シュラウドの前記流路面に連結させるため前記パッドを押圧するためのアッセンブリと、
前記シュラウドの前記流路面に適合する形状を有し、前記シュラウドの前記ハード面位置を超えて延びるとともに前記シュラウドを超えて延びて、連結された位置において前記シュラウドの前記流路面へと溶融材料が流れるのを防止する面を備えたパッドとを有することを特徴とする固定具。
【請求項３０】少なくとも前記パッドの前記基部に隣接した部分は、操作温度において前記溶融材料及び前記シュラウドの熱伝導率よりも大きな熱伝導率を有する材料から形成されていて、前記シュラウドと前記パッドの間の密着する部分において前記溶融材料から熱を移動させて、当該部分における前記溶融材料の粘度を増加させることで前記シュラウドの前記流路面への溶融材料の漏れ出しを防止していることを特徴とする請求項２９に記載の固定具。
【請求項３１】前記パッドの材料は、操作温度において前記溶融材料及び前記シュラウドの熱伝導率の少なくとも４倍大きな熱伝導率とされていることを特徴とする請求項３０に記載のロータブレード。
【請求項３２】前記パッドは、前記シュラウドの熱容量よりも小さな熱容量を有しており、前記パッドがヒートシンクとして作用せず、前記溶融材料が冷却されるにつれクラックを生じさせないように構成されていることを特徴とする請求項３１に記載の固定具。
【請求項３３】前記パッドは、金属から形成されていることを特徴とする請求項３２に記載の固定具。
【請求項３４】前記パッドはタングステンから構成されていることを特徴とする請求項３３に記載の固定具。
【請求項３５】前記パッドは、金属から構成されていることを特徴とする請求項３０に記載の固定具。
【請求項３６】前記パッドは、前記アッセンブリに回動自在に連結されていて前記パッドを前記シュラウドの流路面に連結させるように押圧していることを特徴とする請求項２９に記載の固定具。
【請求項３７】前記シュラウドの前記流路面に連結させるように前記パッドを押圧させるためのアッセンブリは、球状部分を備えた形状の第１の面と前記球状部分の中心を通して延ばされた軸Ａｒを中心とする円筒面とによって画定される開口を有しており、前記パッドは、回転軸Ａｓを有しているとともに、該回転軸Ａｒに整列可能とされている円筒シャフトを有しており、前記円筒シャフトは、前記開口内に配設されているとともにアームの円筒面が径方向に離間されており、前記パッドはさらに、前記円筒シャフトが延ばされる球状面を備えていて、前記シュラウドの前記流路面に連結するようにパッドを押圧させており、前記球状面は、前記アッセンブリの前記球状面に回動自在に連結され前記パッドを前記軸Ａｓを中心として回動自在とさせ、前記軸Ａｓは、前記パッド及び前記アームの前記球状面に傾いて連結可能とさせていて、前記シュラウドの第２の面に連結されて前記固定具に対する前記シュラウドの配置の変動を適切化させているとともに前記シュラウドの前記流路面に前記パッドの第２の面を連結させていることを特徴とする請求項３６に記載の固定具。
【請求項３８】前記シュラウドの前記流路面に連結されるように前記パッドを押圧するための前記アッセンブリは、通路を備えたハウジングと、該通路に配設され、前記ハウジングに連結される第１の端部とバーに連結される第２の端部を備えた弾性要素とを有し、前記バーは、前記弾性部材に連結されているとともに前記通路内に配設され、かつ前記バーは、前記パッドへと連結されて前記パッドを前記シュラウドの前記流路面に連結させるように押圧していることを特徴とする請求項２９に記載の固定具。
【請求項３９】前記バーは、スプリングに連結された第１の端部と前記通路を超えて延ばされたアームを収容するように適合されたチャンネルを有する第２の端部を有していて、前記アームは、前記バー内の前記チャンネルを通して延ばされていて、前記バーに滑動自在に連結されているとともに、前記パッドに連結された前記バーから離間した端部を有していることを特徴とする請求項３８に記載の固定具。
【請求項４０】前記ベースは、該ベースが前記ロータブレードの前記第１の端部を収容するように構成されていることを特徴とする請求項２９に記載の固定具。
【請求項４１】前記固定具は、前記ロータブレードの前記根本領域に連結される構成とされたグラウンド部を備えたグラウンドアッセンブリと前記グラウンド部と前記ロータブレードとが接触するように押圧するための手段とを有していることを特徴とする請求項２９に記載の固定具。
【請求項４２】前記固定具は、前記ロータブレードの前記根本領域に連結される構成とされたグラウンド部を備えたグラウンドアッセンブリと前記グラウンド部と前記ロータブレードとが接触するように押圧するための手段とを有していることを特徴とする請求項３０に記載の固定具。
【請求項４３】翼幅方向の軸を中心として配設され、根本部及び第１の側部と前記翼幅方向の軸に対して横方向に延びた第２の側部とを備えるプラットホーム領域を備えた第１の端部と、翼幅方向に延びた翼領域と、第１の側部と第２の側部とを備え、前記翼に対して横方向に延び、ノッチ面位置と前記ノッチ面位置に隣接して溶融したハード面形成材料を収容するための基部とを備えたシュラウドとを有するロータブレードの前記ノッチ面位置にハード面形成材料領域を形成するために用いられる固定具であって、該固定具は、
前記ロータブレードの前記第１の端部を収容する構成とされた通路を備えさらに、
前記通路部分の境界となり、外側に向いた第１の面と、
前記通路部分の境界となり、外側を向いた第２の面と、
前記第１の面及び前記第２の面から内部に延び、前記ロータブレードの前記根本部分を収容する開口と、
横方向に延び、互いに離間して前記翼の両側に延びてクランプするように構成されたギャップを形成する対となったアームを備えたクランプとを有するベースを有しており、前記クランプはさらに、
前記各アームは、該アームから突出し、前記クランプを操作条件において前記ロータブレードの前記プラットホーム領域の一方の側部に連結させて前記クランプのアームと前記外側に向いた第１の面及び前記第２の面の間に前記プラットホーム領域をトラップする構成とされた突起と、
前記クランプのアームに連結される第１の端部とスクリューファスナのヘッドに連結される第２の端部とを有しているとともに、前記第１の端部から前記第２の端部にまで延び、前記スクリューファスナのロッドを収容するようにされた開口を有するスペーサと、
前記ベースに螺合され、前記クランプの前記アームを前記ロータブレードの前記プラットホーム領域に押圧するロッドと、前記スペーサの端部に連結した前記クランプのアームに対して前記スペーサを押圧するための前記ヘッドとを備えるスクリューファスナとを有しており、
さらに、前記グラウンディングブロックを収容する構成とされ前記開口から内側に延びたチャンネルとを有していて、
グラウンディングアッセンブリは、
前記ロータブレードの前記根本領域に連結され、前記チャンネル内に配設されるグラウンディングブロックと、
操作条件において前記グラウンディングブロックに力を加えて、前記グラウンディングブロックを操作条件下で前記ロータブレード要素と接触させるように押圧するための弾性部材と、
パッドアッセンブリを前記シュラウドの前記流路面に押圧させるためのハウジングアッセンブリと、を有しており、
前記ハウジングアッセンブリは、
弾性要素と連結する第１の端部とバーを収容する通路となる開口を形成する第２の端部とを備える通路を有するハウジングと、
第１の端部を備えた前記通路内に配設され、該通路の前記第１の端部に連結された第１の端部と前記バーに連結する第２の端部とを備えた弾性部材と、
前記通路内に配設され、前記スプリングに連結する前記第１の端部とアームを収容するチャンネルを備え、前記通路を超えて延びる第２の端部を有するバーと、
前記バーのチャンネルを通して延び、前記バーに滑動自在に連結され、前記バーから離間するとともに、球状部分及び前記球状部分の中心を通して延びる軸Ａｒを中心として配設された円筒面を備えた第１の面によって画定される開口を備えた端部を有するアームと、
前記バーにネジにより連結され、前記チャンネルを通して延びて前記アームに力を加えて前記アームが運動しないように固定するためのスクリューファスナとを有しており、さらに、
回転軸Ａｓを有し、回転軸Ａｒと整列可能とされた円筒シャフトを備え、前記シャフトが前記開口内に配設され手いるとともに、前記アームの前記円筒面から径方向に離間したパッドを有しており、該パッドは、
前記シャフトが延び、球状部分の形状を有しているとともに前記アームの球状面に回転可能に連結される第１の面と、
前記シュラウドの前記流路面の形状に密接に適合され、前記パッドを前記シュラウドの前記流路面に連結するとともに、前記シュラウドの前記ハード面位置を超えて横方向に前記シュラウドを超えて延び、前記パッドが連結された位置においては溶融材料の前記シュラウドの前記流路面への流れを防止する第２の面とを有していて、
前記弾性要素は前記バーを前記シュラウドの前記流路面に対して径方向外側へと押圧して、前記ロータブレード間での高さの違いを適切化させ、
前記スクリューファスナは、前記アームに連結して前記ロータブレードの前記シュラウドに対して横方向に調節を可能とさせており、
前記パッドは、前記軸Ａｓを中心として回転可能とされているとともに前記パッド及び前記アームを通して連結されて傾斜可能とされ、前記固定具に対する前記シュラウドの配置の僅かな変動に適合するように前記シュラウドの前記第２の面を前記シュラウドの前記流路面に連結させており、
少なくとも前記パッドの前記第２の面に隣接する部分は、操作温度において、前記溶融材料及び前記シュラウドの熱伝導率の少なくとも４倍熱伝導率の大きな材料から形成されていて、前記シュラウドと前記パッドの隣接部分に隣接した溶融材料から熱を移動させて前記隣接部分にある前記溶融材料を冷却して当該部分における粘度を増加させることで前記シュラウドの前記流路面への溶融材料の漏れ出しを防止し、
前記パッドは、前記シュラウドの熱容量よりも小さな熱容量を有していて前記パッドがヒートシンクとして作用せず、前記溶融材料の冷却につれてクラックを生じさせないようにされていることを特徴とする固定具。
【請求項４４】前記パッドが金属から構成されていることを特徴とする請求項４３に記載の固定具。
【請求項４５】前記パッドは、タングステンから構成されていることを特徴とする請求項４３に記載の固定具。
【請求項４６】前記パッドは、前記シュラウド材料及び前記ハード面形成材料の融点よりも高い融点の材料から形成されていることを特徴とする請求項４３に記載の固定具。
【請求項４７】前記パッドは、前記シュラウド材料及び前記ハード面形成材料の融点よりも高い融点の材料から形成されていることを特徴とする請求項２９に記載の固定具。
【請求項４８】前記パッドは、前記シュラウド材料及び前記ハード面形成材料の融点よりも高い融点の材料から形成されていることを特徴とする請求項３０に記載の固定具。
【請求項４９】前記パッドは、前記シュラウド材料及び前記ハード面形成材料の融点よりも高い融点の材料から形成されていることを特徴とする請求項３６に記載の固定具。
【請求項５０】前記パッドは、前記シュラウド材料及び前記ハード面形成材料の融点よりも３倍高い融点の材料から形成されていることを特徴とする請求項２９に記載の固定具。
【請求項５１】前記パッドは、前記シュラウド材料及び前記ハード面形成材料の融点よりも３倍高い融点の材料から形成されていることを特徴とする請求項３０に記載の固定具。
【請求項５２】前記パッドは、前記シュラウド材料及び前記ハード面形成材料の融点よりも３倍高い融点の材料から形成されていることを特徴とする請求項３６に記載の固定具。
【請求項５３】前記パッドは、前記シュラウド材料及び前記ハード面形成材料の融点よりも３倍高い融点の材料から形成されていることを特徴とする請求項３５に記載の固定具。
【請求項５４】前記パッドは、前記シュラウド材料及び前記ハード面形成材料の融点よりも３倍高い融点の材料から形成されていることを特徴とする請求項３２に記載の固定具。
【手続補正２】
【補正対象書類名】明細書
【補正対象項目名】０００１
【補正方法】変更
【補正の内容】
【０００１】
本発明は、同日に出願し本願と同一の譲受人に譲渡された同時係属中のイトレッソン(Ittleson)等による米国特許出願番号０８／９９４，７８１号、題名「ロータブレードのシュラウドに材料領域を形成するための固定具」及びイトレッソン等による米国特許出願番号０８／９９４，６７８、題名「ガスタービンエンジンの流れ制御アッセンブリの面に材料領域を形成するための方法」の関連出願である。
【手続補正３】
【補正対象書類名】明細書
【補正対象項目名】００４９
【補正方法】変更
【補正の内容】
【００４９】
パッド４８の熱伝導率は、ハード面形成材料１５４及びシュラウド１２の熱伝導率よりも大きくされている。タングステンパッドは、良好な効果を与えるので用いることができるとともに、溶融材料及びシュラウドの操作温度における熱伝導率よりも規格上では４倍大きい熱伝導率を有している。溶融材料１５４がハード面形成位置に配置されると、パッドは、シュラウドとパッドとが接触する領域Ｆにおいてシュラウドよりも大きな速度で熱を溶融材料から取り去る。このことによって、溶融材料はその部位においてより粘重となり、この溶融材料がシュラウドの流路面へと漏れ出すことが防止される。シュラウドの熱容量は（一定圧における比熱を材料の重量に乗ずることによって得られる）、パッドがヒートシンクとして作用し、溶融材料が冷却されてもクラックが生じないようなサイズとされる。したがって、熱伝導率がシュラウド上の溶融材料よりも高い場合でもパッドの熱容量は、溶融材料のクラックが生じないようにされている。